(57)【要約】  【課題】貯蔵室内に照明装置を備えた冷蔵庫において、確認したい時に、確認したい箇所だけ照明を照らすことができる冷蔵庫を提供する。  【解決手段】冷蔵庫３の照明装置６が設置されている貯蔵室５に、扉の開閉を検知する扉スイッチ７と、貯蔵室５内の棚に食品が置かれたことを検知する荷重センサー８を備え、扉の開閉及び、食品の有無によって照明装置６の点灯消灯を制御することで、使用者が確認したい時に、確認したい箇所だけ照明を照らすことができ、また不要な照明の点灯がないことにより消費電力を低減することができる。【選択図】図１
2008151357.tif 000002
【特許請求の範囲】
【請求項１】
冷凍サイクルの冷却器で生成された冷気により冷却される貯蔵室と、前記貯蔵室内に保存物を照らす照明装置と、前記貯蔵室の扉の開閉を検知する扉スイッチと、前記貯蔵室内の棚に食品が置かれたことを検知する荷重センサーを備え、扉の開閉及び、食品の有無によって照明装置の点灯消灯を制御することを特徴とする冷蔵庫。
【請求項２】
前記貯蔵室内を複数の区間に区切って前記照明装置と前記荷重センサーを複数個設置し、扉の開閉及び、食品の有無によって各照明装置の点灯消灯を個別に制御することを特徴とする請求項１に記載の冷蔵庫。
【請求項３】
前記貯蔵室の扉が開かれ、かつ食品が置かれている区間のみ前記照明装置を点灯することを特徴とする請求項１または２に記載の冷蔵庫。
【請求項４】
前記貯蔵室の扉が開かれると、設置された全ての前記照明装置を点灯させ、その後、食品が置かれた区間以外の照明装置を消灯することを特徴とする請求項１または２に記載の冷蔵庫。
【請求項５】
前記貯蔵室内の棚の手前と奥にそれぞれ前記荷重センサーを設置し、照度を変えることができる照明装置を備え、食品が手前に置かれている場合は、前記照明装置を弱い照度で点灯させ、食品が奥に置かれている場合は、前記照明装置を強い照度で点灯させることを特徴とした請求項１から４のいずれか一項に記載の冷蔵庫。
【発明の詳細な説明】
【技術分野】
【０００１】
本発明は、冷蔵庫内で保存された保存物を照射する照明装置を備えた冷蔵庫に関するものである。
【背景技術】
【０００２】
従来、冷蔵庫内の保存物を照らすための照明装置が冷蔵庫内には設置されている。照明装置としては白熱灯、蛍光灯などがあり、近年ではＬＥＤを使用したものもあり、視認性の向上や、意匠的に工夫されたものがある。ＬＥＤの照明装置を備えた冷蔵庫としては、冷凍サイクルの冷却器で生成された冷気により冷却される冷蔵室等の貯蔵室と、実装基板と、複数個が実装されるとともに可視光線領域内にある波長の光線のみを発光する半導体発光素子からなる照明装置を備え、半導体発光素子が赤外線領域にある光線を発光せず、冷蔵庫の内部を照射したとき、保存物の表面温度を上昇させないので保存物表面の変色等を発生させることなく、その保存部を鮮度よく保存することができる機能をもった冷蔵庫が提案されている（例えば、特許文献１参照）。
【０００３】
図４は、特許文献１に記載された従来のＬＥＤの照明装置を備えた冷蔵庫の構造を示す斜視図である。図４において１は半導体発光素子であり、実装基板２に半導体発光素子１を実装して照明装置を構成し、冷蔵庫３の内部に設置され、これによって冷蔵庫の扉４が開かれたとき半導体発光素子１が発光して冷蔵庫３内部の保存物を照射する。このとき可視光線領域内にある波長の光線のみを発光して赤外線領域の光線を発光しないので保存物の表面温度を上昇させることなく照射することができるというものである。
【特許文献１】特開平１１−１５９９５３号公報
【発明の開示】
【発明が解決しようとする課題】
【０００４】
しかしながら、上記従来の構成では、扉が開いている間は、冷蔵室内全体を照らし続けることになり、余分な点灯時間があると、その分消費電力の無駄となる課題を有していた。
【０００５】
本発明は、上記従来の課題を解決するもので、冷蔵室内の保存物の有無によって照明装置の点灯消灯を制御することから、余分な点灯時間を無くし消費電力を削減することができる冷蔵庫を提供することを目的とする。
【課題を解決するための手段】
【０００６】
上記従来の課題を解決するために本発明の冷蔵庫は、冷蔵庫の照明装置が設置されている収納室に、扉の開閉を検知する扉スイッチと、収納室内の棚に食品が置かれたことを検知する荷重センサーを備え、扉の開閉及び、食品の有無によって照明装置の点灯消灯を制御することができる構成としたものである。
【発明の効果】
【０００７】
本発明の冷蔵庫は、冷蔵庫の照明装置が設置されている収納室に、扉の開閉を検知する扉スイッチと、収納室内の棚に食品が置かれたことを検知する荷重センサーを備え、扉の開閉及び、食品の有無によって照明装置の点灯消灯を制御することで、不要な時に照明装置を消灯して消費電力を低減することができる。
【発明を実施するための最良の形態】
【０００８】
請求項１に記載の発明は、冷凍サイクルの冷却器で生成された冷気により冷却される貯蔵室と、前記貯蔵室内に保存物を照らす照明装置と、前記貯蔵室の扉の開閉を検知する扉スイッチと、前記貯蔵室内の棚に食品が置かれたことを検知する荷重センサーを備え、扉の開閉及び、食品の有無によって照明装置の点灯消灯を制御するものであり、不要な時に照明装置を消灯して消費電力を低減することができる。
【０００９】
請求項２に記載の発明は、請求項１に記載の発明において、前記貯蔵室内を複数の区間に区切って前記照明装置と前記荷重センサーを複数個設置し、扉の開閉及び、食品の有無によって各照明装置の点灯消灯を個別に制御するものであり、不要な時に不要な箇所の照明装置を消灯して消費電力をさらに低減することができる。
【００１０】
請求項３に記載の発明は、請求項１または２に記載の発明において、前記貯蔵室の扉が開かれ、かつ食品が置かれている区間のみ前記照明装置を点灯するものであり、確認したい箇所のみを自動で照明を照射することができ、また、不要な箇所の照明装置を消灯するので消費電力を低減することができる。
【００１１】
請求項４に記載の発明は、請求項１または２に記載の発明において、前記貯蔵室の扉が開かれると、設置された全ての前記照明装置を点灯させ、その後、食品が置かれた区間以外の照明装置を消灯するものであり、確認したい箇所のみを自動で照明を照射することができ、また、不要な箇所の照明装置を消灯するので消費電力を低減することができる。
【００１２】
請求項５に記載の発明は、請求項１から４のいずれか一項に記載の発明において、前記貯蔵室内の棚の手前と奥にそれぞれ前記荷重センサーを設置し、照度を変えることができる照明装置を備え、食品が手前に置かれている場合は、前記照明装置を弱い照度で点灯させ、食品が奥に置かれている場合は、前記照明装置を強い照度で点灯させるものであり、貯蔵室内の視認性をより向上することができる。
【００１３】
以下、本発明の実施の形態について、図面を参照しながら説明する。なお、この実施の形態によってこの発明が限定されるものではない。
【００１４】
（実施の形態１）
図１は、本発明の実施の形態１における冷蔵庫の制御装置のブロック図であり、冷蔵庫の構成と動作を示すものである。
【００１５】
図１において、冷蔵庫３は、冷凍サイクルの冷却器で生成された冷気により冷却さる冷蔵室などの貯蔵室５を備え、貯蔵室５内に保存物を照らす照明装置６を備え、貯蔵室５の扉の開閉を検知する扉スイッチ７を備え、貯蔵室５内の棚に保存物が置かれたことを検知する荷重センサー８を備え、扉の開閉及び、保存物の有無によって照明装置６の点灯消灯を制御する照明装置制御手段９を備えた構成となっている。
【００１６】
以上のように構成された冷蔵庫について、以下その動作、作用を説明する。
【００１７】
まず、冷蔵庫３の電源投入後、貯蔵室５の扉を開けると扉スイッチ７によって扉が開けられたことを検知する。次に貯蔵室５内の棚に保存物が置かれるとその重さによって荷重センサー８が保存物が置かれていることを検知する。この扉スイッチ７と荷重センサー８の検出条件によって、照明装置６の点灯消灯を制御する。
【００１８】
以上のように、本実施の形態においては照明装置６を扉の開閉と、保存物の有無によって制御させることで、使用者が見たいときにだけ、貯蔵室５内の保存物を照明で照らすことができる。
【００１９】
（実施の形態２）
図２は、本発明の実施の形態２における冷蔵庫の制御装置のブロック図であり、冷蔵庫の構成と動作を示すものである。
【００２０】
図２において、冷蔵庫３は、冷凍サイクルの冷却器で生成された冷気により冷却さる冷蔵室などの貯蔵室５を備え、貯蔵室５内を複数の区間に区切って、各区間に保存物を照らす照明装置６と保存物の重さを検知する荷重センサー８を備え、貯蔵室５の扉の開閉を検知する扉スイッチ７を備え、扉の開閉及び、保存物の有無によって個々の照明装置６の点灯消灯を制御する照明装置制御手段９を備えた構成となっている。
【００２１】
以上のように構成された冷蔵庫について、以下その動作、作用を説明する。
【００２２】
まず、冷蔵庫３の電源投入後、貯蔵室５の扉を開けると扉スイッチ７によって扉が開けられたことを検知する。次に貯蔵室５の中の各区間に設けられた荷重センサー８によって保存物が貯蔵室５の中のどの区間に置かれているかを検知する。この扉スイッチ７と荷重センサー８の検出条件によって、各区間に設けられた照明装置６の点灯消灯を個別に制御する。
【００２３】
また、貯蔵室５の扉が開けられ、且つ保存物が置かれている場合に、保存物が置かれている区間の照明装置６のみを点灯させる。
【００２４】
また、貯蔵室５の扉が開けられると、まず全ての照明装置６を点灯させる。次に保存物が置かれている区間に設けられた照明装置６はそのまま点灯させ、それ以外の区間に設けられた照明装置６は消灯させる。
【００２５】
以上のように、本実施の形態においては各区間に設けられた照明装置６を扉の開閉と、保存物の有無によって制御させることで、使用者が見たいときに、見たい場所に置かれている保存物を照明で照らすことができる。また、不要な場所の照明は消灯するので、冷蔵庫の消費電力を低減することができる。
【００２６】
（実施の形態３）
図３は、本発明の実施の形態３における冷蔵庫の制御装置のブロック図であり、冷蔵庫の構成と動作を示すものである。
【００２７】
図３において、冷蔵庫３は、貯蔵室５内の棚の手前と奥にそれぞれ荷重センサー８を設置し、照度を変えることができる照明装置６を備え、食品が手前に置かれている場合は、照明装置６を弱い照度で点灯させ、食品が奥に置かれている場合は、照明装置６を強い照度で点灯させることができる照明装置制御手段９を備えた構成となっている。
【００２８】
以上のように構成された冷蔵庫について、以下その動作、作用を説明する。
【００２９】
まず、冷蔵庫３の電源投入後、貯蔵室５の扉を開けると扉スイッチ７によって扉が開けられたことを検知する。次に貯蔵室５の中の手前と奥に設けられた荷重センサー８によって保存物の置かれている場所が貯蔵室５の中の手前なのか奥なのかを検知する。保存物が手前に置かれている場合は照明装置６の照度を弱くして点灯させ、保存物が奥に置かれている場合は照明装置６の照度を強くして点灯させる。
【００３０】
以上のように、保存物の置かれている位置が貯蔵室５内の手前か奥かによって、照明装置６の照度を調節することによって、貯蔵室５内の視認性を向上させることができる。照明をあまり必要としない手前に保存物が置かれている場合は、照明が弱設定となるので、冷蔵庫の消費電力を低減することができる。
【産業上の利用可能性】
【００３１】
以上のように、本発明にかかる冷蔵庫は、貯蔵室内に物が置かれていることを検知する荷重センサーを備えることで、貯蔵室内の保存物を見たいときに見たい箇所だけ照明で照らすことができるものであり、冷蔵庫に限らず、照明装置を備えた収納庫などにおいても適用でき、利便性の向上や、照明による消費電力の低減を図ることができる。
【図面の簡単な説明】
【００３２】
【図１】本発明の実施の形態１における冷蔵庫の制御装置のブロック図
【図２】本発明の実施の形態２における冷蔵庫の制御装置のブロック図
【図３】本発明の実施の形態３における冷蔵庫の制御装置のブロック図
【図４】従来のＬＥＤの照明装置を備えた冷蔵庫の構造を示す斜視図
【符号の説明】
【００３３】
３  冷蔵庫
５  貯蔵室
６  照明装置
７  扉スイッチ
８  荷重センサー
９  照明装置制御手段
【図１】
2008151357.tif 000003
【図２】
2008151357.tif 000004
【図３】
2008151357.tif 000005
【図４】
2008151357.tif 000006